(57)【要約】      （修正有）【課題】燃料の燃焼熱を発生させることなく、且つ、栽培植物を冷却しながら栽培植物へ炭酸ガスを供給できると共に、栽培植物への炭酸ガスの供給量を把握しやすい植物栽培システムを提供する。【解決手段】ドライアイス１０を収容すると共にガス透過性を有する第１収容部２１を備え、ドライアイス１０が昇華することにより生じた炭酸ガスが栽培植物Ｐに供給される植物栽培システム。【選択図】図２
2020178598.tif 000002
【特許請求の範囲】
【請求項１】
ドライアイスが昇華することにより生じた炭酸ガスが栽培植物に供給される植物栽培システム。
【請求項２】
前記ドライアイスが前記栽培植物の近傍に配置される請求項１に記載の植物栽培システム。
【請求項３】
前記ドライアイスは、平面視において前記栽培植物と重複する位置に配置される請求項１または２に記載の植物栽培システム。
【請求項４】
前記ドライアイスは、前記栽培植物の上部の近傍に配置される請求項１から３の何れか一項に記載の植物栽培システム。
【請求項５】
前記ドライアイスは、前記栽培植物の根本部の近傍に配置される請求項１から４の何れか一項に記載の植物栽培システム。
【請求項６】
前記ドライアイスを収容すると共にガス透過性を有する第１収容部を備える請求項１から５の何れか一項に記載の植物栽培システム。
【請求項７】
前記第１収容部を前記栽培植物の近傍まで移動させる収容部移動装置を備える請求項６に記載の植物栽培システム。
【請求項８】
前記ドライアイスを収容する第２収容部と、
前記第２収容部から延びる配管と、を備え、
前記配管において、前記栽培植物の近傍部位に、開口が形成されている請求項１から７の何れか一項に記載の植物栽培システム。
【請求項９】
前記第２収容部及び前記配管の内部空間は、前記開口のみにおいて、前記第２収容部及び前記配管の外部空間と連通している請求項８に記載の植物栽培システム。
【請求項１０】
前記開口を開閉する開閉弁を備える請求項８または９に記載の植物栽培システム。
【請求項１１】
前記栽培植物は、複数の植物個体を含んでおり、
前記複数の植物個体を所定の環状経路に沿って移動させる植物移動装置を備え、
前記複数の植物個体は、前記環状経路に沿って並んでおり、
前記環状経路における所定位置に位置する前記植物個体に前記ドライアイスが供給される請求項１から１０の何れか一項に記載の植物栽培システム。
【請求項１２】
前記栽培植物は、複数の植物個体を含んでおり、
前記複数の植物個体を、所定の環状経路に沿って移動させる植物移動装置を備え、
前記複数の植物個体は、前記環状経路に沿って並んでおり、
前記環状経路における所定位置に位置する前記植物個体に前記炭酸ガスが供給される請求項１から１１の何れか一項に記載の植物栽培システム。
【発明の詳細な説明】
【技術分野】
【０００１】
本発明は、植物栽培システムに関する。
【背景技術】
【０００２】
植物栽培システムとして、例えば、特許文献１に記載のものが既に知られている。この植物栽培システムにおいては、植物体の葉の投影面積に基づいて、栽培植物に対して灌水が実行される。
【先行技術文献】
【特許文献】
【０００３】
【特許文献１】特開２００７−３０６８４６号公報
【発明の概要】
【発明が解決しようとする課題】
【０００４】
特許文献１においては、栽培植物への炭酸ガスの供給については記載されていない。尚、炭酸ガスとは、気体の二酸化炭素である。
【０００５】
ここで、特許文献１に記載の植物栽培システムにおいて、園芸施設内に栽培植物を配置し、プロパンガスやメタンガス等の燃料を燃焼させることによって炭酸ガスを発生させると共に、発生した炭酸ガスを園芸施設内に供給する構成が考えられる。
【０００６】
しかしながら、この構成では、燃料を燃焼させる際に熱が発生する。そのため、夏季等、園芸施設内を冷房する必要がある場合には、燃焼により発生した熱を排出する必要がある。これにより、ランニングコストが増大しがちである。
【０００７】
さらに、この構成では、栽培植物への炭酸ガスの供給量を把握することが困難である。
【０００８】
本発明の目的は、燃料の燃焼熱を発生させることなく、且つ、栽培植物を冷却しながら栽培植物へ炭酸ガスを供給できると共に、栽培植物への炭酸ガスの供給量を把握しやすい植物栽培システムを提供することである。
【課題を解決するための手段】
【０００９】
本発明の特徴は、ドライアイスが昇華することにより生じた炭酸ガスが栽培植物に供給されることにある。
【００１０】
本発明であれば、燃料を燃焼させることなく、炭酸ガスを栽培植物に供給できる。さらに、ドライアイスによって、栽培植物を冷却することができる。従って、燃料の燃焼熱を発生させることなく、且つ、栽培植物を冷却しながら栽培植物へ炭酸ガスを供給できる。
【００１１】
しかも、本発明であれば、昇華する前のドライアイスの重量や体積等から、生じる炭酸ガスの量を容易に算出することができる。従って、栽培植物への炭酸ガスの供給量を把握しやすい。
【００１２】
即ち、本発明であれば、燃料の燃焼熱を発生させることなく、且つ、栽培植物を冷却しながら栽培植物へ炭酸ガスを供給できると共に、栽培植物への炭酸ガスの供給量を把握しやすい植物栽培システムを実現できる。
【００１３】
さらに、本発明において、前記ドライアイスが前記栽培植物の近傍に配置されると好適である。
【００１４】
この構成によれば、ドライアイスによって、栽培植物を効果的に冷却することができる。しかも、ドライアイスが昇華することにより生じた炭酸ガスを、栽培植物へ効果的に供給できる。
【００１５】
さらに、本発明において、前記ドライアイスは、平面視において前記栽培植物と重複する位置に配置されると好適である。
【００１６】
この構成によれば、ドライアイスが、確実に栽培植物の近傍に配置されやすい。従って、ドライアイスによって、栽培植物を確実に冷却しやすい。しかも、ドライアイスが昇華することにより生じた炭酸ガスを、栽培植物へ確実に供給しやすい。
【００１７】
さらに、本発明において、前記ドライアイスは、前記栽培植物の上部の近傍に配置されると好適である。
【００１８】
炭酸ガスは、空気より重い。そのため、ドライアイスが昇華することにより生じた炭酸ガスは、下方へ移動しやすい。従って、ドライアイスが栽培植物の近傍に配置される場合、生じた炭酸ガスは、栽培植物のうち、ドライアイスよりも下側に位置する部分に触れやすい。
【００１９】
ここで、上記の構成によれば、ドライアイスが栽培植物の下部の近傍に配置される場合に比べて、栽培植物のうち、ドライアイスよりも下側に位置する部分の割合が多くなる。即ち、上記の構成によれば、ドライアイスが栽培植物の下部の近傍に配置される場合に比べて、栽培植物のうち、炭酸ガスの触れやすい部分の割合が多くなる。
【００２０】
従って、上記の構成によれば、生じた炭酸ガスを栽培植物へ効果的に供給しやすい。
【００２１】
さらに、本発明において、前記ドライアイスは、前記栽培植物の根本部の近傍に配置されると好適である。
【００２２】
この構成によれば、ドライアイスによって、栽培植物の根本部を効果的に冷却しやすい。これにより、栽培植物の成長を促進しやすい。
【００２３】
さらに、本発明において、前記ドライアイスを収容すると共にガス透過性を有する第１収容部を備えると好適である。
【００２４】
ドライアイスは、徐々に昇華することに伴い、形状が変化していく。そのため、ドライアイスを地面等に直接配置する場合、形状の変化により、転がって移動する可能性がある。これにより、ドライアイスが適切な位置から移動してしまう可能性がある。
【００２５】
ここで、上記の構成によれば、ドライアイスは第１収容部に収容される。これにより、ドライアイスが適切な位置から移動してしまう事態を回避できる。
【００２６】
しかも、上記の構成によれば、第１収容部はガス透過性を有している。これにより、生じた炭酸ガスを栽培植物へ確実に供給しやすい。
【００２７】
さらに、本発明において、前記第１収容部を前記栽培植物の近傍まで移動させる収容部移動装置を備えると好適である。
【００２８】
この構成によれば、第１収容部へドライアイスを入れる作業を、栽培植物から遠く離れた位置において行うことが可能となる。
【００２９】
さらに、本発明において、前記ドライアイスを収容する第２収容部と、前記第２収容部から延びる配管と、を備え、前記配管において、前記栽培植物の近傍部位に、開口が形成されていると好適である。
【００３０】
この構成によれば、第２収容部の内部空間において、ドライアイスが昇華することにより炭酸ガスが生じる。この炭酸ガスは、配管を通って、開口から放出される。そして、開口は、栽培植物の近傍部位に形成されている。従って、開口から放出された炭酸ガスは、栽培植物へ確実に供給されやすい。
【００３１】
即ち、この構成によれば、ドライアイスが昇華することにより生じた炭酸ガスを、栽培植物へ確実に供給しやすい。
【００３２】
さらに、本発明において、前記第２収容部及び前記配管の内部空間は、前記開口のみにおいて、前記第２収容部及び前記配管の外部空間と連通していると好適である。
【００３３】
この構成によれば、第２収容部及び配管の内部空間が炭酸ガスで満たされている場合、ドライアイスが昇華することにより生じた炭酸ガスの量と同じ量の炭酸ガスが、開口から押し出されることとなる。
【００３４】
従って、この構成によれば、栽培植物への炭酸ガスの供給量を把握しやすい。
【００３５】
さらに、本発明において、前記開口を開閉する開閉弁を備えると好適である。
【００３６】
この構成によれば、開閉弁によって、栽培植物への炭酸ガスの供給量を調節することが可能となる。
【００３７】
さらに、本発明において、前記栽培植物は、複数の植物個体を含んでおり、前記複数の植物個体を所定の環状経路に沿って移動させる植物移動装置を備え、前記複数の植物個体は、前記環状経路に沿って並んでおり、前記環状経路における所定位置に位置する前記植物個体に前記ドライアイスが供給されると好適である。
【００３８】
この構成によれば、一定の位置においてドライアイスを供給し続けることにより、全ての植物個体にドライアイスを供給することができる。従って、ドライアイスを供給する作業を効率的に行うことが可能となる。
【００３９】
さらに、本発明において、前記栽培植物は、複数の植物個体を含んでおり、前記複数の植物個体を、所定の環状経路に沿って移動させる植物移動装置を備え、前記複数の植物個体は、前記環状経路に沿って並んでおり、前記環状経路における所定位置に位置する前記植物個体に前記炭酸ガスが供給されると好適である。
【００４０】
この構成によれば、一定の位置において炭酸ガスを供給し続けることにより、全ての植物個体に炭酸ガスを供給することができる。従って、炭酸ガスを供給する作業を効率的に行うことが可能となる。
【図面の簡単な説明】
【００４１】
【図１】植物栽培システムの平面図である。
【図２】図１のＩＩ−ＩＩ断面矢視図である。
【図３】栽培植物とドライアイスとの位置関係を示す平面図である。
【図４】第１別実施形態における植物栽培システムの平面図である。
【図５】図４のＶ−Ｖ断面矢視図である。
【図６】第１別実施形態における制御装置に関する構成を示すブロック図である。
【図７】第１別実施形態における晴天時における各開閉弁の開閉制御の一例を示す図である。
【図８】第２別実施形態における植物栽培システムの平面図である。
【発明を実施するための形態】
【００４２】
本発明を実施するための形態について、図面に基づき説明する。尚、以下の説明においては、特に断りがない限り、図１、図３、図４、図８に示す矢印Ｎの方向を「北」、矢印Ｓの方向を「南」として、図１から図５、図８に示す矢印Ｅの方向を「東」、矢印Ｗの方向を「西」とする。また、図２及び図５に示す矢印Ｕの方向を「上」、矢印Ｄの方向を「下」とする。
【００４３】
〔植物栽培システムの全体構成〕
図１に示すように、植物栽培システムＳＹは、園芸施設１を備えている。園芸施設１には、栽培植物Ｐを植えるための複数の畝Ａが設けられている。複数の畝Ａは、それぞれ、南北方向に延びている。また、複数の畝Ａは、東西方向に並んでいる。
【００４４】
複数の畝Ａの間は栽培植物Ｐの管理者が通行可能な通路となっている。園芸施設１は、例えばビニールハウスであったり、太陽光利用型の植物工場であったりする。
【００４５】
複数の畝Ａは、例えば無孔性親水性フィルムで構成される。そして、複数の畝Ａに、栽培植物Ｐとして、例えばトマトが植えられる。本実施形態において、畝Ａの個数は４つである。しかしながら、本発明はこれに限定されず、畝Ａの個数は４つ以外のいかなる個数であっても良い。
【００４６】
また、栽培植物Ｐは、複数の植物個体Ｑを含んでいる。本実施形態においては、各畝Ａに、それぞれ、５つの植物個体Ｑが植えられている。しかしながら、本発明はこれに限定されず、各畝Ａに植えられる植物個体Ｑの数は、５つ以外のいかなる数であっても良い。
【００４７】
図１に示すように、園芸施設１の北部には、出入口１ａが設けられている。
【００４８】
〔ドライアイスの供給に関する構成〕
図１及び図２に示すように、植物栽培システムＳＹは、収容部移動装置１１、コンベア装置１２、ドライアイス貯留部１３、複数の第１収容部２１を備えている。収容部移動装置１１、コンベア装置１２、ドライアイス貯留部１３、複数の第１収容部２１は、何れも、園芸施設１の内側に配置されている。
【００４９】
〔第１収容部に関する構成〕
図１及び図２に示すように、収容部移動装置１１は、環状のレール状に構成されている。また、収容部移動装置１１は、園芸施設１の天井部１ｂから吊り下げられている。そして、収容部移動装置１１は、複数の第１収容部２１を吊り下げている。尚、各第１収容部２１は、ワイヤー１４を介して吊り下げられている。また、各第１収容部２１は、栽培植物Ｐよりも高い位置に配置される。
【００５０】
本実施形態において、第１収容部２１の設けられる個数は、植物個体Ｑの数と同数である。即ち、本実施形態においては、２０個の第１収容部２１が設けられている。しかしながら、本発明はこれに限定されず、第１収容部２１の設けられる個数は２０個以外のいかなる個数であっても良い。
【００５１】
図２及び図３に示すように、第１収容部２１は、箱状に形成されており、ドライアイス１０を収容可能である。また、第１収容部２１は、多数の小さな通気孔２１ａを有している。これにより、第１収容部２１は、ガス透過性を有している。即ち、第１収容部２１に収容されているドライアイス１０が昇華することにより生じた炭酸ガスは、通気孔２１ａを通過し、第１収容部２１の外部に排出される。
【００５２】
このように、植物栽培システムＳＹは、ドライアイス１０を収容すると共にガス透過性を有する第１収容部２１を備える。
【００５３】
また、ドライアイス貯留部１３は、ドライアイス１０を貯留する。図１に示すように、ドライアイス貯留部１３は、第１供給部１３ａを有している。ドライアイス貯留部１３は、第１供給部１３ａからドライアイス１０を排出することができる。また、図１に矢印で示すように、収容部移動装置１１は、各第１収容部２１を移動させることができる。
【００５４】
収容部移動装置１１が、第１収容部２１を第１供給部１３ａの近傍位置に移動させると共に、第１供給部１３ａからドライアイス１０が排出されることにより、第１収容部２１にドライアイス１０が投入されることとなる。これにより、第１収容部２１にドライアイス１０が収容される。尚、このときの第１収容部２１の位置が、図１において仮想線により示されている。
【００５５】
そして、収容部移動装置１１は、ドライアイス１０の収容された第１収容部２１を、栽培植物Ｐの近傍まで移動させるように構成されている。これにより、図１から図３に示すように、ドライアイス１０が栽培植物Ｐの近傍に配置される。
【００５６】
以上の構成により、第１収容部２１に収容されているドライアイス１０は、図２に示すように、栽培植物Ｐの上部の近傍に配置されることとなる。また、第１収容部２１に収容されているドライアイス１０は、図３に示すように、平面視において栽培植物Ｐと重複する位置に配置されることとなる。
【００５７】
そして、第１収容部２１に収容されているドライアイス１０が昇華することにより生じた炭酸ガスが栽培植物Ｐに供給される。その結果、炭酸ガスが栽培植物Ｐの近傍に供給される。
【００５８】
このように、植物栽培システムＳＹは、第１収容部２１を栽培植物Ｐの近傍まで移動させる収容部移動装置１１を備えている。
【００５９】
〔コンベア装置に関する構成〕
図１に示すように、コンベア装置１２は環状であり、各畝Ａの近傍を通る状態で設けられている。また、コンベア装置１２は、ドライアイス１０を搬送可能に構成されている。図１においては、コンベア装置１２による搬送方向が、矢印で示されている。
【００６０】
また、ドライアイス貯留部１３は、第２供給部１３ｂを有している。ドライアイス貯留部１３は、第２供給部１３ｂから、コンベア装置１２上へドライアイス１０を排出することができる。
【００６１】
そして、第２供給部１３ｂから排出されたドライアイス１０は、コンベア装置１２により搬送される。
【００６２】
また、図１及び図２に示すように、コンベア装置１２の近傍には、複数のガイド部１５及び押し出し装置１６が設けられている。
【００６３】
各ガイド部１５は、コンベア装置１２と畝Ａの上面とに亘って設けられた板状の部材である。また、各ガイド部１５は、各ガイド部１５におけるコンベア装置１２に近い部位ほど高い位置に位置するように、傾斜した状態で配置されている。そして、各ガイド部１５は、各植物個体Ｑに対応して設けられている。
【００６４】
図２に示すように、押し出し装置１６は、コンベア装置１２の上方に設けられている。そして、押し出し装置１６は、コンベア装置１２により搬送されているドライアイス１０を、ガイド部１５上へ押し出すことができるように構成されている。ガイド部１５上へ押し出されたドライアイス１０は、ガイド部１５の傾斜に沿って転がり、植物個体Ｑの根本部の近傍へ移動する。これにより、ドライアイス１０は、栽培植物Ｐの根本部の近傍に配置される。
【００６５】
そして、栽培植物Ｐの根本部の近傍に配置されたドライアイス１０が昇華することにより生じた炭酸ガスが、栽培植物Ｐに供給される。その結果、炭酸ガスが栽培植物Ｐの近傍に供給される。
【００６６】
尚、図３に示すように、栽培植物Ｐの根本部の近傍に配置されたドライアイス１０は、平面視において栽培植物Ｐと重複している。
【００６７】
以上で説明した構成によれば、燃料を燃焼させることなく、炭酸ガスを栽培植物Ｐに供給できる。さらに、ドライアイス１０によって、栽培植物Ｐを冷却することができる。従って、燃料の燃焼熱を発生させることなく、且つ、栽培植物Ｐを冷却しながら栽培植物Ｐへ炭酸ガスを供給できる。
【００６８】
しかも、以上で説明した構成であれば、昇華する前のドライアイス１０の重量や体積等から、生じる炭酸ガスの量を容易に算出することができる。従って、栽培植物Ｐへの炭酸ガスの供給量を把握しやすい。
【００６９】
即ち、以上で説明した構成であれば、燃料の燃焼熱を発生させることなく、且つ、栽培植物Ｐを冷却しながら栽培植物Ｐへ炭酸ガスを供給できると共に、栽培植物Ｐへの炭酸ガスの供給量を把握しやすい植物栽培システムＳＹを実現できる。
【００７０】
〔第１別実施形態〕
上記実施形態においては、植物栽培システムＳＹは、収容部移動装置１１、コンベア装置１２、ドライアイス貯留部１３、複数の第１収容部２１を備えている。
【００７１】
しかしながら、本発明はこれに限定されない。以下では、本発明に係る第１別実施形態について、上記実施形態とは異なる点を中心に説明する。以下で説明している部分以外の構成は、上記実施形態と同様である。また、上記実施形態と同様の構成については、同じ符号を付している。
【００７２】
図４には、本発明に係る第１別実施形態における植物栽培システムＳＹが示されている。図４に示すように、本発明に係る第１別実施形態においては、収容部移動装置１１、コンベア装置１２、ドライアイス貯留部１３、複数の第１収容部２１に代えて、第２収容部２２及び配管３が設けられている。
【００７３】
第２収容部２２は、箱状に形成されており、複数のドライアイス１０を収容する。
【００７４】
配管３は、第２収容部２２から延びている。また、配管３は、主配管３１と、複数の分岐配管３２と、を有している。
【００７５】
主配管３１の一端は、第２収容部２２の西側端部に接続している。また、主配管３１の他端は、第２収容部２２の東側端部に接続している。そして、主配管３１は、各畝Ａの近傍を通る状態で設けられている。
【００７６】
第２収容部２２に収容されたドライアイス１０が昇華することにより生じた炭酸ガスは、第２収容部２２の内部空間から、配管３の内部空間へ排出される。即ち、第２収容部２２は、炭酸ガスを排出する。
【００７７】
図４及び図５に示すように、各分岐配管３２は、主配管３１から分岐して延びる状態で設けられている。また、各分岐配管３２は、各植物個体Ｑに対応して設けられている。
【００７８】
また、図５に示すように、各分岐配管３２は、それぞれ、３つの開口３２ａを有している。各開口３２ａは、各分岐配管３２における栽培植物Ｐの近傍部位に形成されている。そして、配管３の内部空間における炭酸ガスは、各開口３２ａから放出される。これにより、炭酸ガスが栽培植物Ｐの近傍に供給されることとなる。
【００７９】
詳述すると、各分岐配管３２において、３つの開口３２ａのうちの最も上に位置する開口３２ａは、栽培植物Ｐの成長点Ｐａの近傍に設けられている。従って、この開口３２ａから放出された炭酸ガスは、栽培植物Ｐの成長点Ｐａの近傍に供給される。
【００８０】
また、各分岐配管３２において、３つの開口３２ａのうちの上から２つ目に位置する開口３２ａは、栽培植物Ｐの葉Ｐｂの近傍に設けられている。従って、この開口３２ａから放出された炭酸ガスは、栽培植物Ｐの葉Ｐｂの近傍に供給される。
【００８１】
また、各分岐配管３２において、３つの開口３２ａのうちの最も下に位置する開口３２ａは、栽培植物Ｐの果実Ｐｃの近傍に設けられている。従って、この開口３２ａから放出された炭酸ガスは、栽培植物Ｐの果実Ｐｃの近傍に供給される。
【００８２】
このように、配管３において、栽培植物Ｐの近傍部位に、開口３２ａが形成されている。
【００８３】
また、第２収容部２２のうち、配管３との接続部位以外の部分は、密閉状態に形成されている。即ち、第２収容部２２及び配管３の内部空間は、開口３２ａのみにおいて、第２収容部２２及び配管３の外部空間と連通している。
【００８４】
また、図５及び図６に示すように、この第１別実施形態において、植物栽培システムＳＹは、複数の開閉弁４、気温測定部５１、湿度測定部５２、カメラ５３、照度測定部５４、濃度測定部５５、制御装置６を備えている。
【００８５】
制御装置６は、飽差算出部６１、指標値算出部６２、供給判定部６３、開閉弁制御部６４を有している。
【００８６】
各開閉弁４は、それぞれ、各開口３２ａに対応して設けられている。そして、各開閉弁４は、各開口３２ａを開閉する。
【００８７】
各開閉弁４が開状態である場合、各開口３２ａから炭酸ガスが放出される。これにより、炭酸ガスが栽培植物Ｐの近傍に供給される。
【００８８】
また、各開閉弁４が閉状態となると、各開口３２ａからの炭酸ガスの放出は停止する。これにより、栽培植物Ｐの近傍への炭酸ガスの供給が停止する。
【００８９】
気温測定部５１は、園芸施設１内の気温を測定する。気温測定部５１による測定結果は、飽差算出部６１及び供給判定部６３へ送られる。
【００９０】
湿度測定部５２は、園芸施設１内の湿度を測定する。尚、湿度測定部５２により測定される湿度は、相対湿度である。湿度測定部５２による測定結果は、飽差算出部６１へ送られる。
【００９１】
カメラ５３は、栽培植物Ｐの葉Ｐｂを撮像する。カメラ５３により取得された撮像画像は、指標値算出部６２へ送られる。
【００９２】
照度測定部５４は、園芸施設１内の照度を測定する。照度測定部５４による測定結果は、供給判定部６３へ送られる。
【００９３】
濃度測定部５５は、園芸施設１内の炭酸ガスの濃度を測定する。濃度測定部５５による測定結果は、供給判定部６３へ送られる。
【００９４】
飽差算出部６１は、気温測定部５１により測定された気温と、湿度測定部５２により測定された湿度と、に基づいて飽差を算出する。飽差算出部６１による算出結果は、供給判定部６３へ送られる。
【００９５】
指標値算出部６２は、カメラ５３により取得された撮像画像に基づいて、水不足指標値を算出する。尚、水不足指標値とは、栽培植物Ｐにおける水分の不足度合いを示す値である。指標値算出部６２による算出結果は、供給判定部６３へ送られる。
【００９６】
尚、カメラ５３により取得された撮像画像における葉Ｐｂのしおれ度合いが大きいほど、指標値算出部６２により算出される水不足指標値は大きくなる。
【００９７】
供給判定部６３は、気温測定部５１による測定結果と、照度測定部５４による測定結果と、濃度測定部５５による測定結果と、飽差算出部６１による算出結果と、指標値算出部６２による算出結果と、に基づいて、炭酸ガスを栽培植物Ｐの近傍に供給するべきであるか否かを判定する。
【００９８】
より具体的には、供給判定部６３は、以下の条件Ｃ１〜Ｃ６が全て満たされている場合、炭酸ガスを栽培植物Ｐの近傍に供給するべきであると判定する。また、以下の条件Ｃ１〜Ｃ６のうちの一部または全てが満たされていない場合、炭酸ガスを栽培植物Ｐの近傍に供給するべきでないと判定する。
【００９９】
条件Ｃ１：照度測定部５４により測定された照度が所定の第１閾値Ｓ１（図７参照）以上である。
【０１００】
条件Ｃ２：気温測定部５１により測定された気温が所定の第２閾値以上である。
【０１０１】
条件Ｃ３：飽差算出部６１により算出された飽差が所定範囲内の値である。
【０１０２】
条件Ｃ４：指標値算出部６２により算出された水不足指標値が所定の第３閾値以下である。
【０１０３】
条件Ｃ５：濃度測定部５５により算出された炭酸ガスの濃度が所定の第４閾値以下である。
【０１０４】
条件Ｃ６：時刻が午前６時から正午までの間である。
【０１０５】
供給判定部６３は、炭酸ガスを栽培植物Ｐの近傍に供給するべきであると判定した場合、所定の信号を、開閉弁制御部６４へ送る。開閉弁制御部６４は、この信号を受け取ると、各開閉弁４を開状態に制御する。
【０１０６】
また、供給判定部６３は、炭酸ガスを栽培植物Ｐの近傍に供給するべきでないと判定した場合、所定の信号を、開閉弁制御部６４へ送る。開閉弁制御部６４は、この信号を受け取ると、各開閉弁４を閉状態に制御する。
【０１０７】
以上の構成により、例えば、条件Ｃ２〜Ｃ５が満たされている状態において、照度測定部５４により測定された照度が所定の第１閾値Ｓ１に達した場合、炭酸ガスの供給が開始される。
【０１０８】
また、例えば、条件Ｃ１、Ｃ３〜Ｃ６が満たされている状態において、気温測定部５１により測定された気温が所定の第２閾値に達した場合、炭酸ガスの供給が開始される。
【０１０９】
また、例えば、条件Ｃ１、Ｃ２、Ｃ４〜Ｃ６が満たされている状態において、飽差算出部６１により算出された飽差が所定範囲内の値である場合、炭酸ガスが栽培植物Ｐの近傍に供給される。
【０１１０】
また、例えば、条件Ｃ１〜Ｃ３、Ｃ５、Ｃ６が満たされている状態において、指標値算出部６２により算出された水不足指標値が所定の第３閾値以下である場合、炭酸ガスが栽培植物Ｐの近傍に供給される。
【０１１１】
尚、この第１別実施形態において、第１閾値Ｓ１は、光補償点に等しい照度である。しかしながら、本発明はこれに限定されず、第１閾値Ｓ１は、光補償点より小さな照度であっても良いし、光補償点より大きな照度であっても良い。
【０１１２】
図７では、晴天時における各開閉弁４の開閉制御の一例が示されている。以下では、図７に示す例について説明する。尚、図７に示す例においては、条件Ｃ２〜Ｃ４が常に満たされているものとする。また、日の出の時刻が午前６時であり、日の入りの時刻が午後６時（１８時）であるものとする。
【０１１３】
まず、午前６時より、照度が０（ゼロ）から上昇し始める。そして、時刻ｔ１に、照度が第１閾値Ｓ１に達する。これにより、条件Ｃ１が満たされる。
【０１１４】
また、時刻ｔ１においては、炭酸ガスの濃度が第４閾値以下であるものとする。即ち、このとき、条件Ｃ５は満たされている。
【０１１５】
また、図７に示すように、時刻ｔ１は、午前６時から正午までの間である。即ち、このとき、条件Ｃ６は満たされている。
【０１１６】
従って、時刻ｔ１において、条件Ｃ１〜Ｃ６の全てが満たされることとなる。これにより、時刻ｔ１において、各開閉弁４は開状態に制御される。
【０１１７】
次に、時刻ｔ２において、炭酸ガスの濃度が第４閾値を超えるものとする。即ち、時刻ｔ２において、条件Ｃ５が満たされない状態となる。これにより、時刻ｔ２において、各開閉弁４は閉状態に制御される。
【０１１８】
次に、時刻ｔ３において、炭酸ガスの濃度が第４閾値以下になるものとする。即ち、時刻ｔ３において、条件Ｃ５が満たされた状態となる。また、このとき、条件Ｃ１〜Ｃ４、Ｃ６は満たされている。これにより、時刻ｔ３において、各開閉弁４は開状態に制御される。
【０１１９】
次に、時刻ｔ４において、炭酸ガスの濃度が第４閾値を超えるものとする。即ち、時刻ｔ４において、条件Ｃ５が満たされない状態となる。これにより、時刻ｔ４において、各開閉弁４は閉状態に制御される。
【０１２０】
次に、時刻ｔ５において、炭酸ガスの濃度が第４閾値以下になるものとする。即ち、時刻ｔ５において、条件Ｃ５が満たされた状態となる。また、このとき、条件Ｃ１〜Ｃ４、Ｃ６は満たされている。これにより、時刻ｔ５において、各開閉弁４は開状態に制御される。
【０１２１】
そして、時刻が正午を過ぎると、条件Ｃ６が満たされない状態となる。そのため、正午を過ぎると、各開閉弁４は閉状態に制御される。
【０１２２】
以上で説明したように、図７に示す例では、照度が第１閾値Ｓ１に達した時点から、正午までの間、各開閉弁４の開閉が繰り返される。そして、正午を過ぎると、各開閉弁４は閉状態に制御される。
【０１２３】
尚、図７には、曇天時の照度の推移が、仮想線により示されている。図７に示すように、曇天時には、午前６時から正午までの間、照度は第１閾値Ｓ１を下回っている。そのため、曇天時には、条件Ｃ１〜Ｃ６が全て満たされることはない。従って、曇天時には、各開閉弁４は、一日を通して閉状態に制御される。
【０１２４】
〔第２別実施形態〕
上記実施形態において、各植物個体Ｑは、畝Ａに植えられている。
【０１２５】
しかしながら、本発明はこれに限定されない。以下では、本発明に係る第２別実施形態について、上記実施形態とは異なる点を中心に説明する。以下で説明している部分以外の構成は、上記実施形態と同様である。また、上記実施形態と同様の構成については、同じ符号を付している。
【０１２６】
図８には、本発明に係る第２別実施形態における植物栽培システムＳＹが示されている。図８に示すように、本発明に係る第２別実施形態において、植物栽培システムＳＹは、複数の栽培ベッド７、供給装置８、植物移動装置９を備えている。そして、各植物個体Ｑは、それぞれ、各栽培ベッド７に植えられている。
【０１２７】
各栽培ベッド７は、移動可能に構成されている。そして、植物移動装置９は、各栽培ベッド７を、所定の環状経路Ｔに沿って移動させる。これにより、植物移動装置９は、複数の植物個体Ｑを環状経路Ｔに沿って移動させる。
【０１２８】
尚、この第２別実施形態において、植物移動装置９は、各栽培ベッド７を、一定速度で継続的に移動させる。
【０１２９】
また、各栽培ベッド７は、環状経路Ｔに沿って並んでいる。即ち、複数の植物個体Ｑは、環状経路Ｔに沿って並んでいる。
【０１３０】
供給装置８は、環状経路Ｔにおける所定位置Ｂに位置する植物個体Ｑにドライアイス１０を供給するように構成されている。
【０１３１】
即ち、この第２別実施形態においては、環状経路Ｔにおける所定位置Ｂに位置する植物個体Ｑにドライアイス１０が供給される。また、各植物個体Ｑは、順番に、所定位置Ｂを通過する。そして、各植物個体Ｑは、環状経路Ｔを一周する毎に、所定位置Ｂを一度通過することとなる。これにより、各植物個体Ｑに、一定周期毎にドライアイス１０を供給することができる。
【０１３２】
図８に示すように、ドライアイス１０が供給された植物個体Ｑは、環状経路Ｔに沿って移動する。これに伴い、供給されたドライアイス１０は、徐々に昇華する。そして、供給されたドライアイス１０の昇華は、植物個体Ｑが所定位置Ｂに到達する直前に完了する。これにより、所定位置Ｂに到達する直前の植物個体Ｑの近傍には、ドライアイス１０が配置されていない。
【０１３３】
即ち、植物個体Ｑに供給されたドライアイス１０の昇華に要する時間と、植物個体Ｑが環状経路Ｔに沿って一周するのに要する時間と、が略等しくなるように、供給装置８によるドライアイス１０の供給量、及び、植物移動装置９による各栽培ベッド７の移動速度が設定されている。
【０１３４】
尚、本発明はこれに限定されず、供給装置８により、ドライアイス１０に代えて、ドライアイス１０が昇華することにより生じた炭酸ガスが供給されても良い。この場合、環状経路Ｔにおける所定位置Ｂに位置する植物個体Ｑに炭酸ガスが供給される。
【０１３５】
尚、以上に記載した各実施形態は一例に過ぎないのであり、本発明はこれに限定されるものではなく、適宜変更が可能である。
【０１３６】
〔その他の実施形態〕
（１）東西南北の方角については、上記実施形態に限定されず、適宜変更が可能である。例えば、各畝Ａの延びる方向は東西方向でも良い。
【０１３７】
（２）条件Ｃ６において規定される期間は、上記第１別実施形態に限定されず、適宜変更が可能である。
【０１３８】
（３）供給判定部６３は、条件Ｃ１〜Ｃ６のうちの少なくとも一部が満たされている場合に、炭酸ガスを栽培植物Ｐの近傍に供給するべきであると判定するように構成されていても良い。
【０１３９】
（４）供給判定部６３による判定基準は、適宜変更が可能である。例えば、供給判定部６３は、条件Ｃ１のみに基づいて、炭酸ガスを栽培植物Ｐの近傍に供給するべきであるか否かを判定するように構成されていても良いし、条件Ｃ１〜Ｃ６以外の条件に基づいて、炭酸ガスを栽培植物Ｐの近傍に供給するべきであるか否かを判定するように構成されていても良い。
【０１４０】
（５）栽培植物Ｐに含まれる植物個体Ｑは、一つのみであっても良い。
【０１４１】
（６）上記第１別実施形態において、開閉弁４が設けられていなくても良い。
【０１４２】
（７）上記第１別実施形態において、第２収容部２２及び配管３の内部空間は、開口３２ａ以外の部分において、第２収容部２２及び配管３の外部空間と連通していても良い。例えば、第２収容部２２の上部が開放されていても良い。
【０１４３】
（８）上記第１別実施形態において、開口３２ａが、栽培植物Ｐから遠く離れた位置に設けられていても良い。
【０１４４】
（９）収容部移動装置１１は設けられていなくても良い。
【０１４５】
（１０）第１収容部２１は設けられていなくても良い。
【０１４６】
（１１）ドライアイス１０が栽培植物Ｐの根本部の近傍に配置されていなくても良い。
【０１４７】
（１２）ドライアイス１０が栽培植物Ｐの上部の近傍に配置されていなくても良い。
【０１４８】
（１３）ドライアイス１０は、平面視において栽培植物Ｐと重複しない位置に配置されていても良い。
【０１４９】
（１４）ドライアイス１０が栽培植物Ｐから遠く離れた位置に配置されていても良い。
【０１５０】
（１５）上記第１別実施形態において、気温測定部５１は設けられていなくても良い。
【０１５１】
（１６）上記第１別実施形態において、湿度測定部５２は設けられていなくても良い。
【０１５２】
（１７）上記第１別実施形態において、カメラ５３は設けられていなくても良い。
【０１５３】
（１８）上記第１別実施形態において、照度測定部５４は設けられていなくても良い。
【０１５４】
（１９）上記第１別実施形態において、濃度測定部５５は設けられていなくても良い。
【０１５５】
（２０）上記第１別実施形態において、飽差算出部６１は設けられていなくても良い。
【０１５６】
（２１）上記第１別実施形態において、指標値算出部６２は設けられていなくても良い。
【０１５７】
（２２）上記第１別実施形態において、供給判定部６３は設けられていなくても良い。
【０１５８】
（２３）上記第１別実施形態において、開閉弁制御部６４は設けられていなくても良い。
【０１５９】
（２４）上記第１別実施形態において、成長点Ｐａの近傍の開口３２ａは設けられていなくても良い。即ち、炭酸ガスが、成長点Ｐａの近傍に供給されない構成であっても良い。
【０１６０】
（２５）上記第１別実施形態において、葉Ｐｂの近傍の開口３２ａは設けられていなくても良い。即ち、炭酸ガスが、葉Ｐｂの近傍に供給されない構成であっても良い。
【０１６１】
（２６）上記第１別実施形態において、果実Ｐｃの近傍の開口３２ａは設けられていなくても良い。即ち、炭酸ガスが、果実Ｐｃの近傍に供給されない構成であっても良い。
【０１６２】
（２７）炭酸ガスが、栽培植物Ｐから遠く離れた位置に供給される構成であっても良い。
【産業上の利用可能性】
【０１６３】
本発明は、植物栽培システムに利用可能である。
【符号の説明】
【０１６４】
３      配管
４      開閉弁
９      植物移動装置
１０    ドライアイス
１１    収容部移動装置
２１    第１収容部
２２    第２収容部
３２ａ  開口
Ｂ      所定位置
Ｐ      栽培植物
Ｑ      植物個体
ＳＹ    植物栽培システム
Ｔ      環状経路
【図１】
2020178598.tif 000003
【図２】
2020178598.tif 000004
【図３】
2020178598.tif 000005
【図４】
2020178598.tif 000006
【図５】
2020178598.tif 000007
【図６】
2020178598.tif 000008
【図７】
2020178598.tif 000009
【図８】
2020178598.tif 000010